(57)【特許請求の範囲】
【請求項１】
遊技球を賞球または貸球として排出する排出機構の下流にあって、その排出機構からの排出球を賞球として検出計数するための賞球検出手段を設けた賞球流路と、貸球として検出計数するための貸球検出手段を設けた貸球流路とに遊技球の流路を、切り換える流路切換部材を備える遊技機の流路切換装置において、
筐体の内部にソレノイドと永久磁石が配設され、前記ソレノイドへの通電によって前記流路切換部材の位置を切り換える流路切換ソレノイドと、
前記ソレノイドと前記永久磁石との内側の孔に摺動自在に挿通され、前記ソレノイドへの通電方向に応じて変位するプランジャと、
前記プランジャの変位を前記流路切換部材に伝達する接続部材と、
前記筐体の内部に設けられ、前記プランジャのストロークの一端側にプランジャを磁力によって保持し得る第１吸着部と、
前記筐体の外部に設けられ、前記プランジャのストロークの他端側にプランジャを磁力によって保持し得る第２吸着部と、
前記第２吸着部が設けられると共に、前記流路切換ソレノイドの筐体の取付位置が変更可能な取付具と、を備え、
前記プランジャの下端には前記接続部材のプランジャ受部が、前記プランジャ受部の下端面に対して前記プランジャの下端面が所定の間隔を設けた状態で取り付けられ、
前記ソレノイドへの通電方向の切り換えに応じて前記プランジャを介して前記流路切換部材を切換駆動すると共に、前記ソレノイドへの通電を遮断したときはそのときのプランジャの変位を保持して流路切換部材の位置を保つように構成し、
更に、前記プランジャが上下方向に変位するように配置すると共に、前記第２吸着部が前記プランジャの下方に位置するように配置し、
前記プランジャが前記第２吸着部側の変位位置にあるときに、前記プランジャ受部の下端面が前記第２吸着部に当接することによって、前記第２吸着部と前記プランジャとの間に所定の間隔が形成されることを特徴とする遊技機の流路切換装置。
【請求項２】
前記ソレノイドの非通電時に前記流路切換部材の位置を弾性的に保持する保持手段を備え、
前記保持手段の付勢方向は、前記プランジャの前記第２吸着部側への変位方向と同じであることを特徴とする請求項１に記載の遊技機の流路切換装置。
【発明の詳細な説明】
【０００１】
【発明の属する技術分野】
本発明は、遊技球の流路を切り換える遊技機の流路切換装置に関する。
【０００２】
【従来の技術】
遊技機（例えばパチンコ機）には、排出機構から排出された遊技球を、流路切換弁によって異なる流路（賞球流路と貸球流路）に導き、それぞれの流路に設けられた別個の検出手段により検出するものがある。
【０００３】
このような流路切換弁をソレノイドへの通電方向の切り換えに応じて切換駆動すると共に、ソレノイドへの通電を遮断したときはそのときの流路切換弁の位置を保持するいわゆるラッチ式ソレノイドがある。
【０００４】
【発明が解決しようとする課題】
しかしながら、この従来のラッチ式ソレノイドは、ソレノイドの非通電時にプランジャのストローク端を吸着して保持するための吸着部をそれぞれソレノイドの筐体の内部に備えている。即ち、プランジャのストロークが固定となっているため、プランジャのストロークを微調整することができなかった。
【０００５】
流路切換弁はプランジャのストロークをリンク等を介して伝達して駆動するようになっており、プランジャのストロークを微調整することができないと、流路切換弁やリンクやこれらの取付位置等の精度が悪い場合、流路切換弁を適正位置に切り換えられないことがある。
【０００６】
したがって、流路切換弁やリンクやこれらの取付位置等に高い精度が必要となり、コストアップとなっていた。また、流路切換弁やリンク等に調整機構を設けたのでは、部品点数が増えてしまい、装置が複雑になる。
【０００７】
本発明は、このような問題点に着目してなされたもので、プランジャのストロークを微調整でき、流路切換弁の適正な動作を確保できるものを提供することを目的とする。
【０００８】
【課題を解決するための手段】
第１の発明は、遊技球を賞球または貸球として排出する排出機構の下流にあって、その排出機構からの排出球を賞球として検出計数するための賞球検出手段を設けた賞球流路と、貸球として検出計数するための貸球検出手段を設けた貸球流路とに遊技球の流路を、切り換える流路切換部材を備える遊技機の流路切換装置において、筐体の内部にソレノイドと永久磁石が配設され、前記ソレノイドへの通電によって前記流路切換部材の位置を切り換える流路切換ソレノイドと、前記ソレノイドと前記永久磁石との内側の孔に摺動自在に挿通され、前記ソレノイドへの通電方向に応じて変位するプランジャと、前記プランジャの変位を前記流路切換部材に伝達する接続部材と、前記筐体の内部に設けられ、前記プランジャのストロークの一端側にプランジャを磁力によって保持し得る第１吸着部と、前記筐体の外部に設けられ、前記プランジャのストロークの他端側にプランジャを磁力によって保持し得る第２吸着部と、前記第２吸着部が設けられると共に、前記流路切換ソレノイドの筐体の取付位置が変更可能な取付具と、を備え、前記プランジャの下端には前記接続部材のプランジャ受部が、前記プランジャ受部の下端面に対して前記プランジャの下端面が所定の間隔を設けた状態で取り付けられ、前記ソレノイドへの通電方向の切り換えに応じて前記プランジャを介して前記流路切換部材を切換駆動すると共に、前記ソレノイドへの通電を遮断したときはそのときのプランジャの変位を保持して流路切換部材の位置を保つように構成し、更に、前記プランジャが上下方向に変位するように配置すると共に、前記第２吸着部が前記プランジャの下方に位置するように配置し、前記プランジャが前記第２吸着部側の変位位置にあるときに、前記プランジャ受部の下端面が前記第２吸着部に当接することによって、前記第２吸着部と前記プランジャとの間に所定の間隔が形成される。
【００１２】
第２の発明は、第１の発明において、前記ソレノイドの非通電時に前記流路切換部材の位置を弾性的に保持する保持手段を備え、前記保持手段の付勢方向は、前記プランジャの前記第２吸着部側への変位方向と同じである。
【００１５】
【発明の効果】
第１の発明によれば、第２吸着部を、流路切換ソレノイドの筐体の取付具に設けるので、筐体の取付具への取付位置を変更することによって、プランジャに対して第２吸着部の位置を調整することができ、容易にプランジャのストロークを微調整することができる。その結果、賞球の排出ならびに検出、貸球の排出ならびに検出の信頼性が向上する。また、部品点数を増やさずに、流路切換部材を適正位置に切り換え駆動することができ、コストを低減できる。
【００１６】
また、プランジャが上下方向に変位するように配置すると共に、第２吸着部がプランジャの下方に位置するように配置するので、プランジャが下方に駆動された場合に、磁力とともに重力を利用してプランジャを第２吸着部に吸引保持することができ、このためその吸引力を変えることなく、プランジャのストロークを大きくできる。
【００１７】
また、プランジャが第２吸着部側の変位位置にあるときに、プランジャは直接第２吸着部に当接せず、第２吸着部と所定の間隔を有して第２吸着部に吸引保持されるので、その保持力を抑えることができ、したがってソレノイドへの通電によってプランジャを第２吸着部側から第１吸着部側へスムーズに変位させることができるので、第２吸着部の位置を離してプランジャのストロークを十分大きくすることができ、プランジャのストロークの調整範囲を拡大することができる。
【００１８】
第２の発明では、プランジャの変位を流路切換部材に伝達する連係部材等の遊びに対して、流路切換部材をぐらつきを生じることなく適正位置に的確に保持できる。
【００２０】
【発明の実施の形態】
以下、添付図面に基づいて、本発明の実施の形態について説明する。
【００２１】
図１は遊技機（パチンコ遊技機）１にカード球貸ユニット２を併設したＣＲ機を示す。遊技機１の前面枠３は本体枠（外枠）４にヒンジ５を介して開閉回動可能に組付けられ、遊技盤６は前面枠３の裏面に取り付けられた収納フレームに収装される。
【００２２】
遊技盤６の表面には、表示装置８、大入賞口を内部に備えた変動入賞装置１０、一般入賞口１１〜１５、始動口１６が配設された遊技領域が形成される。前面枠３の前面には、遊技盤６の前面を覆うカバーガラス１８が取り付けられる。
【００２３】
前面枠３の下部の開閉パネル２０には遊技球を打球発射装置に供給する上皿２１が、固定パネル２２には下皿２３、打球発射装置の操作部２４等がそれぞれ配設される。
【００２４】
カバーガラス１８の枠の上部には、第１報知ランプ３１、第２報知ランプ３２が設けられる。第１、第２の報知ランプ３１、３２は、点灯により排出異常を報知するものである。
【００２５】
カード球貸ユニット２には、前面のカード挿入部２５に挿入されたカード（プリペイドカード等）のデータの読込、書込等を行うカードリーダライタと球貸制御装置が内蔵され、カード球貸ユニット用の操作パネル２６は遊技機１の上皿２１の外面に形成される。
【００２６】
カード球貸ユニット用の操作パネル２６には、カードの残高を表示するカード残高表示部２７と、球貸しを指令する球貸しスイッチ２８と、カードの返却を指令するカード返却スイッチ３０等が設けられる。
【００２７】
図２は遊技機１ならびにカード球貸ユニット２の裏側を示すもので、遊技盤６の裏面側には、大入賞口、一般入賞口１１〜１５、始動口１６に入賞した入賞球を案内する入賞球集合カバー（図示しない）、遊技を統括的に制御する遊技制御装置１００、表示装置８を制御する表示制御装置１５０、遊技盤６ならびに前面枠３の装飾用のランプ等を制御する装飾制御装置２００、スピーカーからの音出力を制御する音制御装置２５０、電源供給装置３００、遊技盤用外部端子４１等が取り付けられる。
【００２８】
前面枠３の収納フレームの裏面側には、裏機構盤３５が取り付けられる。この裏機構盤３５の中央部には、遊技盤６の裏面側の各装置（遊技制御装置１００、表示制御装置１５０、装飾制御装置２００、音制御装置２５０、電源供給装置３００等）を点検するための開口窓部が設けられている。
【００２９】
裏機構盤３５の上部には、遊技機外部（遊技店の島設備）から電源を取り入れる（ならびに遊技店の管理装置の間の外部信号線を接続する）ための外部ターミナル４２、遊技球を貯留する球貯留タンク３６、球貯留タンク３６の球を半端球検出スイッチを備えた樋ユニット部（半端センサユニット）３８に導く誘導樋３７が取り付けられる。誘導樋３７ならびに樋ユニット部３８は２条の流路に形成される。
【００３０】
裏機構盤３５の開口窓部の右側には、樋ユニット部３８の球を遊技機前面側の上皿２１、下皿２３に払い出す排出装置（排出ユニット６００および流路切換ユニット７００）が取り付けられる。
【００３１】
裏機構盤３５の下部には、排出ユニット６００を制御する排出制御装置４００、打球発射装置５００を制御する発射制御装置５５０、カード球貸ユニット用中継基板４３等が取り付けられる。
【００３２】
カード球貸ユニット２のカード挿入部２５にカードを挿入して、カード球貸ユニット用の操作パネル２６の球貸しスイッチ２８を押すと、カード球貸ユニット２から排出制御装置４００に球貸し要求が出され、排出制御装置４００により排出ユニット６００が駆動され、排出装置から所定数の貸し球が上皿２１等に払い出される。
【００３３】
また、打球発射装置より遊技領域に発射された球が一般入賞口１１〜１５、始動口１６、大入賞口に入賞すると、遊技制御装置１００から賞球制御指令が排出制御装置４００に送られ、排出制御装置４００により球排出ユニット６００が駆動され、排出装置から所定数の賞球が上皿２１等に払い出される。
【００３４】
図３、図４には、排出ユニット６００および流路切換ユニット７００からなる排出関連ユニットを詳細に示す。
【００３５】
なお、排出ユニット６００および流路切換ユニット７００は、２系統の球流路（球流路６０２、および導入路７０２から排出路７０５に至る遊技球流路）により遊技球排出を行うものであるが、図３、図４には、そのうち１系統を断面図で示し、以下の説明ではこの１系統について代表して説明をする。なお、他の１系統は、図３、図４の紙面奥側に並列に設けられている。また、球流路を２系統設けたのは、遊技球を効率的に排出するためで、賞球と貸球の区別とは関係しない。
【００３６】
図示されるように、排出ユニット６００と流路切換ユニット７００は、上下に一体に組み付けられて、排出関連ユニットを構成している。
【００３７】
排出ユニット６００は、遊技球の排出機構であって、ケーシング６０１、球送出部６１０、排出用パルスモータ６２０、ストッパ機構６３０等から構成される。
【００３８】
透明なケーシング６０１には、球流路６０２が形成されている。上方の樋ユニット部３８からの遊技球は、球入口６０３から球流路６０２に導入され、球出口６０４から下方の流路切換ユニット７００に排出される。
【００３９】
球送出部６１０は、球流路６０２に臨むように設けられる。この球送出部６１０には、スプロケット（切り欠き円盤）６１１、６１２と従動歯車（図示せず）が、ケーシング６０１内に軸支された同一の回転軸６１３に固定されて備えられ、同期回動するようになっている。なお、スプロケット６１２は、図３、図４には流路が図示されない側の系統のスプロケットであって、図示されないもう一つの球流路６０２に臨むように配設されている。
【００４０】
スプロケット６１１、６１２外周の歯の間の部分は、等間隔に並ぶ複数（実施の形態では８個）の球受部６１４となっており、これらの球受部６１４の一部が、球流路６０２に臨んでいる。これにより、球流路６０２を通過する遊技球は、一つの球受部６１４に一球ずつ保持されるようにして、スプロケット６１１、６１２の回転動作とともに順次送り出される。したがって、排出ユニット６００からは、スプロケット６１１、６１２の動作量（回転量）に比例した個数の遊技球が排出されることになる。
【００４１】
なお、２つの系統のスプロケット６１１、６１２は、互いに球受部６１４の１／２個分だけ位相がずれた状態で、回転軸６１３に固定されている。これにより、スプロケット６１１、６１２からの遊技球の送り出しは各系統から交互になされ、排出ユニット６００からの遊技球排出を迅速かつスムーズに行うことができる。
【００４２】
排出用パルスモータ６２０の回転軸には、図示されない原動歯車と、ストッパ機構６３０の回動規制歯車６３１とが固定されている。この原動歯車と球送出部６１０の従動歯車の間には、伝達歯車６２２が配設される。これにより、従動歯車とスプロケット６１１、６１２は、排出用パルスモータ６２０により一体に回転駆動される。
【００４３】
ストッパ機構６３０は、排出用パルスモータ６２０の回転を規制するもので、回動規制歯車６３１、ストッパ部材６３３、リターンスプリング６３５、ストッパソレノイド６３６等から構成される。
【００４４】
回動規制歯車６３１の外周には、上述したスプロケット６１１外周の球受部６１４と同数のラチェット歯６３２が、等間隔に形成されている。これらのラチェット歯６３２に、ストッパ部材（フラッパ）６３３が係合することにより、回動規制歯車６３１の回動（図４における時計回りの回動）が禁止される。なお、回動規制歯車６３１とストッパ部材６３３はラチェット機構を構成しており、係合時でも逆回転（図４における反時計回りの回動）は許容される。
【００４５】
ストッパ部材６３３は、掛止部６３４に上端側が揺動可能に支持され、揺動によりラチェット歯６３２に係脱可能となっているもので、常態ではリターンスプリング６３５に付勢されてラチェット歯６３２に係合している。
【００４６】
これに対して、ストッパソレノイド６３６に通電すると、ストッパ部材６３３は、ストッパソレノイド６３６側に吸着され、リターンスプリング６３５に抗して後退する。これにより、ストッパ部材６３３と回動規制歯車６３１の係合が解除され、排出用パルスモータ６２０が回動可能となる。
【００４７】
このようにストッパ機構６３０を備えることにより、排出用パルスモータ６２０が回転の慣性や遊技球の重みで余分に回転してしまうことを防止でき、スプロケット６１１の回転量を排出制御装置２００によって正確に制御できる。
【００４８】
流路切換ユニット７００は、ケーシング７０１に、導入路７０２から排出路７０５に至る遊技球流路を備えている。導入路７０２は、排出ユニット６００の球流路６０２の下端に（それぞれの系統毎に）連結している。
【００４９】
遊技球流路は、賞球としての遊技球が導入される賞球流路７０３と、貸球としての遊技球が導入される貸球流路７０４に分岐する。賞球流路７０３、貸球流路７０４には、それぞれ賞球検出センサ７１３、貸球検出センサ７１４が備えられ、通過した遊技球の数を流路毎にカウントできるようになっている。
【００５０】
図３〜図７に示すように、賞球流路７０３と貸球流路７０４の分岐部には、流路切換装置７１５の流路切換弁７２０が設けられる。流路切換弁７２０は、回動軸７２１の回りで回動して、賞球流路７０３と貸球流路７０４の入口を選択的に閉鎖するものである。
【００５１】
流路切換弁７２０は、流路切換ソレノイド（アクチュエータ）７３０のプランジャ７３１に、接続部材７２５、連係部材７２２、７２３を介して連係している。
【００５２】
流路切換ソレノイド７３０は、ラッチングタイプのものであり、通電方向の切り換えによりプランジャ７３１の位置が選択的に変更されるとともに、通電ＯＦＦ後にはその時点でのプランジャ７３１の位置が保持されるものである。
【００５３】
詳しく説明すると、流路切換ソレノイド７３０の筐体７５０の内部にはソレノイド７３３と永久磁石７３２が配設されており、これらの内側の孔にプランジャ７３１が摺動自由に挿通されている。プランジャ７３１は、永久磁石７３２により磁化されており、ソレノイド７３３への通電方向の切り換えにより上方（縮側）または下方（伸側）に駆動される。
【００５４】
プランジャ７３１に設けられたスプリング係止部７５２と筐体７５０との間ににプランジャ７３１を下方に付勢するバネ力の弱いスプリング７５３が介装され、プランジャ７３１の下端には連係部材７２２との接続部材７２５がピン７５４を介して取り付けられる。
【００５５】
プランジャ７３１のストロークの上端側には、流路切換ソレノイド７３０の筐体７５０の内部に金属製の第１吸着部材７３４が備えられ、プランジャ７３１が上方に駆動された場合に、磁力（永久磁石７３２の磁化による）によりプランジャ７３１が第１吸着部材７３４に吸引保持される。
【００５６】
プランジャ７３１のストロークの下端側には、流路切換ソレノイド７３０の筐体７５０の外部に金属製の第２吸着部材７３５が備えられ、プランジャ７３１が下方に駆動された場合に、磁力（永久磁石７３２の磁化による）によりプランジャ７３１が第２吸着部材７３５に吸引保持される。
【００５７】
この場合、プランジャ７３１の下端部は接続部材７２５のプランジャ受部７５５に挿入されると共に、図７のようにプランジャ７３１の下端面がプランジャ受部７５５の下端面に対して所定の間隔、上方に位置するように取り付けられる。
【００５８】
第２吸着部材７３５は、筐体７５０を流路切換ユニット７００のケーシング７０１に取り付ける取付具７５６に設けられ、筐体７５０はビス７５１により取付具７５６に取り付けられる。第２吸着部材７３５には、プランジャ７３１のストローク方向と直交する方向に溝７５７が形成され、接続部材７２５はその溝７５７に中央壁７５８を遊嵌させてガイドされる。なお、筐体７５０、取付具７５６および第２吸着部材７３５は、いずれも鉄を材質とする金属により形成されている。この場合、第２吸着部材７３５は取付具７５６に対してどのように設けられても良く、取付具７５６の一部を曲げ加工することによってその吸着部分が形成されるようにしても良い。
【００５９】
即ち、図３の状態から、ソレノイド７３３が永久磁石７３２と同方向に磁界を生じるように通電されると、永久磁石７３２の磁化によって第２吸着部材７３５に吸引保持されていたプランジャ７３１は、その磁力によって上方に変位されると共に、永久磁石７３２の磁化によって第１吸着部材７３４に吸引され、図４のようにストロークの上端に保持される。したがって、この通電後、その通電をＯＦＦした場合でも、プランジャ７３１の位置は、第１吸着部材７３４に当接した位置に保たれる。
【００６０】
また、図４の状態から、ソレノイド７３３が永久磁石７３２と逆方向に磁界を生じるように通電されると、永久磁石７３２の磁化によって第１吸着部材７３４に吸引保持されていたプランジャ７３１は、その磁力の反発によって下方に変位されると共に、永久磁石７３２の磁化によって第２吸着部材７３５に吸引され、図３のようにストロークの下端に保持される。この場合、プランジャ受部７５５の下端面が第２吸着部材７３５に当接する。したがって、この通電後、その通電をＯＦＦした場合でも、第２吸着部材７３５にプランジャ受部７５５の下端面が当接することによって、プランジャ７３１の下端と第２吸着部材７３５の上面との間に所定の間隔が形成され、この位置でもって、プランジャ７３１が第２吸着部材７３５との間に発生する磁力により保持される。
【００６１】
連係部材７２３は軸７２４に軸支されたもので、一端はプランジャ７３１の下端の接続部材７２５とピン７６０を介して連係し、他端は扇形歯車が形成され、連係部材７２２に形成された扇形歯車と歯合している。連係部材７２２は、流路切換弁７２０の回転軸７２１に固定されたもので、流路切換弁７２０と一体に回動する。連係部材７２２は保持スプリング７２６により貸球流路７０４の閉鎖方向に付勢され、流路切換弁７２０にぐらつきが生じないようにされている。なお、保持スプリング７２６の付勢方向は、プランジャ７３１の下方変位方向と同じにしてある。
【００６２】
このような構成により、流路切換弁７２１の弁位置は、ソレノイド７３３への通電によるプランジャ７３１の上下動とともに切り換えられるとともに、ソレノイド７３３への通電ＯＦＦ後にも、通電直前の位置が保持される。
【００６３】
すなわち、図３に示すように、ソレノイド７３３への通電によりプランジャ７３１を下方に駆動すると、連係部材７２３は反時計回りに、連係部材７２２は時計回りにそれぞれ回動し、流路切換弁７２０は貸球流路７０４を閉鎖して賞球流路７０３を開放する弁位置に切り換わる。この結果、導入路７０２に導入された遊技球は、総て賞球流路７０３に流れ込み、賞球検出センサ７１３により検出される。また、この状態でソレノイド７３３への通電をＯＦＦとしても、プランジャ７３１はプランジャ受部７５５の下端面を第２吸着部材７３５に当接した位置に保持されるから、流路切換弁７２０もそのまま賞球流路７０３開放の弁位置を保持する。
【００６４】
また、図４に示すように、ソレノイド７３３への通電によりプランジャ７３１を上方に駆動すると、連係部材７２３は時計回りに、連係部材７２２は反時計回りにそれぞれ回動し、流路切換弁７２０は賞球流路７０３を閉鎖して貸球流路７０４を開放する弁位置に切り換わる。この結果、導入路７０２に導入された遊技球は、総て貸球流路７０４に流れ込み、貸球検出センサ７１４により検出される。また、この状態でソレノイド７３３への通電をＯＦＦとしても、プランジャ７３１は第１吸着部材７３４に当接した位置に保持されるから、流路切換弁７２０もそのまま貸球流路７０４開放の弁位置を保持する。
【００６５】
賞球流路７０３と貸球流路７０４は下流の排出路７０５において合流する。遊技球はこの排出路７０５から下方に排出され、上皿２１に至る。
【００６６】
一方、このように流路切換装置７１５を構成したので、流路切換ソレノイド７３０のプランジャ７３１のストロークを微調整することができる。
【００６７】
すなわち、プランジャ７３１が下方に駆動された場合に、磁力（永久磁石７３２の磁化による）によってプランジャ７３１をストロークの下端に吸引保持するための第２吸着部材７３５を、流路切換ソレノイド７３０の筐体７５１の外部に備えたため、その第２吸着部材７３５の位置を調整することによって、プランジャ７３１の下方のストローク量を微調整することができる。
【００６８】
具体的には、第２吸着部材７３５を筐体７５０を流路切換ユニット７００のケーシング７０１に取り付ける取付具７５６に設けているため、筐体７５０の取付具７５６への取付位置を変更することによって、プランジャ７３１に対して第２吸着部材７３５の位置を調整することができ、そのためプランジャ７３１の下方のストローク量を微調整することができるのである。
【００６９】
また、流路切換ソレノイド７３０をプランジャ７３１が上下方向に変位するように配置すると共に、第２吸着部材７３５がプランジャ７３１の下方に位置するようにしたので、プランジャ７３１が下方に駆動された場合に、磁力（永久磁石７３２の磁化による）とともに重力を利用してプランジャ７３１を第２吸着部材７３５に吸引保持することができる。また、プランジャ７３１の下端に接続部材７５０を、プランジャ７３１の下端面がプランジャ受部７５５の下端面に対して所定の間隔、上方に位置するように取り付ける、すなわちプランジャ７３１は直接第２吸着部材７３５に当接せず、第２吸着部材７３５と所定の間隔を有して第２吸着部材７３５に吸引保持されるので、その保持力を抑えることができる。
【００７０】
そのため、ソレノイド７３３への通電によって下方位置のプランジャ７３１を上方にスムーズに変位させることができるので、第２吸着部材７３５の位置を最大限、下方に設定して、プランジャ７３１のストロークを十分大きくすることができ、プランジャ７３１のストロークの調整範囲を拡大することができる。
【００７１】
したがって、流路切換弁７２０や接続部材７２５や連係部材７２２、７２３やこれらの取付位置等の精度をそれほど高めることなく、プランジャ７３１のストロークを微調整することによって、流路切換弁７２０を適正位置に切り換え駆動することができる。また、部品点数を増やさずに、流路切換弁７２０を適正位置に切り換え駆動することができ、コストを低減できる。
【００７２】
また、連係部材７２２を介して流路切換弁７２０は保持スプリング７２６により貸球流路７０４の閉鎖方向に付勢されているので、流路切換弁７２０にぐらつきが生じることがない。また、ソレノイド７３３の非通電状態で流路切換弁７２０が貸球流路７０４の閉鎖位置にあるとき、流路切換弁７２０は保持スプリング７２６によりその閉鎖位置に保持されるので、連係部材７２２、７２３の歯車に遊びがあっても、流路切換弁７２０はぐらつきを生じることなく的確に保持される。
【００７３】
なお、中継基板７４０は、賞球検出センサ７１３による検出信号の排出制御装置４００および遊技制御装置１００への送信、貸球検出センサ７１４による検出信号の排出制御装置４００への送信を中継するものである。
【００７４】
図８は、遊技機１の制御系の一部を示すブロック構成図である。
【００７５】
図示されるように、遊技制御装置１００は、ＣＰＵ１０１、ＲＯＭ１０２、ＲＡＭ１０３、バス・インターフェイス１０４等から構成されるもので、排出制御装置４００等の各種制御装置（表示制御装置１５０、装飾制御装置２００、音制御装置３００は図示を省略する）に制御指令を送信して、遊技を統轄的に制御する主制御装置である。
【００７６】
ＣＰＵ１０１は遊技制御装置１００による制御（遊技制御）を司るＩＣ、ＲＯＭ１０２は遊技制御のための不変の情報（各種プログラム、各種定数等）を記憶している記憶手段である。また、ＲＡＭ１０３は、遊技制御時にワークエリアとして利用される記憶手段であり、バックアップエリアと制御エリアとから構成される。ここで、バックアップエリアは、停電時にもデータ内容がバックアップされ、停電からの再開時にも原則としてデータ内容が初期化されないエリアで、チェックデータの他、後述する確認カウンタ値等が記憶されている。また、制御エリアは、バックアップエリア以外の領域で、後述する確認タイマのタイマ値等が記憶されている。
【００７７】
遊技制御装置１００には、各種入賞口（一般入賞口１１〜１５、始動口１６、大入賞口等）毎に設けられて遊技球入賞を検出する入賞検出センサ群５０からの検出信号が入力される。遊技制御装置１００は、これらの入賞検出に基づいて、大当たりの抽選等を行うとともに、各種制御装置や、変動入賞装置１０等の各種装置を制御する。例えば、各種入賞口への入賞があると、その入賞口の種類に対応した賞球排出を行うように、排出制御装置４００に賞球制御指令を送信する。この場合、各種入賞口には、入賞に対応して払い出されるべき賞球数（１個〜１５個のいずれか）が、あらかじめ対応づけられている。これにより、賞球制御指令には、その送信の契機となる入賞があった入賞口に対応する賞球数が、排出要求数として含まれることになる。
【００７８】
なお、遊技制御装置１００と各種制御装置（表示制御装置１５０、装飾制御装置２００、音制御装置２５０、排出制御装置４００）との通信形態は、遊技制御装置１００から各種制御装置への単方向通信となっている。これにより、遊技制御装置１００に各種制御装置との接続線を通じて不正な信号が入力されないようにでき、遊技の信頼性を高めることができる。
【００７９】
また、遊技制御装置１００には、賞球検出センサ７１３による検出信号が、中継基板７４０を介して入力される。そして、遊技制御装置１００は、所定数（例えば１０個）の賞球排出が検出される度に、賞球払出信号を、外部ターミナル４２に設けられた枠用外部出力端子４１０を介して、管理装置（遊技店において複数の遊技機１を管理するホストコンピュータ）に向けて送信する。
【００８０】
また、遊技制御装置１００は、後述する停電検出後には、所定時間Ｔにわたって、賞球検出センサ７１３による賞球検出があれば確認カウンタを更新する。すなわち、停電検出があった後でも、駆動電圧の低い賞球検出センサ７１３は検出可能な状態にあり（後述する電圧変換回路３０３からは１２Ｖ電圧の供給が続いており）、また流路切換弁７２０はソレノイド７３３への通電がＯＦＦとなった後も賞球流路７０３開放側に保持され続けることから、賞球検出センサ７１３では正しく賞球検出を行い得ると考えられるので、所定時間Ｔの間は、賞球検出に基づいて確認カウンタの更新を行う。この場合、所定時間Ｔは、停電検出により排出ユニット６００からの遊技球排出が停止された時点で、排出ユニット６００の球送出部６１０から排出されたが未だ賞球検出センサ７１３に達していない遊技球が、賞球検出センサ７１３により検出され切るまでの見込み時間で、例えば１秒程度に設定される。
【００８１】
排出制御装置４００は、ＣＰＵ４０１、ＲＯＭ４０２，ＲＡＭ４０３、入出力インターフェイス４０４、ドライブ回路４０５等から構成される。
【００８２】
ＣＰＵ４０１は遊技制御装置４００による各種制御を司るＩＣ、ＲＯＭ４０２はこれらの制御のための不変の情報（各種プログラム、各種定数等）を記憶している記憶手段である。また、ＲＡＭ４０３は、制御時にワークエリアとして利用される記憶手段であり、停電時にもデータ内容がバックアップされるバックアップエリアと、それ以外の制御エリアとから構成される。バックアップエリアには、チェックデータの他、後述する排出カウンタ値、貯留カウンタ値、識別フラグ値等が記憶されている。
【００８３】
排出制御装置４００は、排出関連の制御を行う制御装置であり、遊技制御装置１００からの賞球制御指令またはカードユニット２からの貸球制御指令に基づいて、ドライブ回路４０５により、排出ユニット６００（排出用パルスモータ６２０およびストッパソレノイド６３６）および流路切換ユニット７００（流路切換ソレノイド７３０）を駆動し、賞球または貸球の排出を行わせる。
【００８４】
詳しく説明すると、排出制御装置４００は、賞球制御指令を受けると、この制御指令に含まれている排出要求数を、ＲＡＭ４０３の貯留カウンタに累積記憶する。なお、この貯留カウンタの形態としては、指令された排出要求数自体を積算して記憶するものや、排出要求数の種類（個数）毎に指令された件数を積算して記憶するもの等がある。
【００８５】
このようにして貯留カウンタに記憶がある場合、排出制御装置４００は、貯留カウンタに記憶されている排出要求数を排出カウンタに順次設定するとともに、流路切換ソレノイド７３０のソレノイド７３３に賞球流路７０３開放方向の通電をし、流路切換弁７２０を賞球流路７０３開放側の弁位置とする。そして、排出カウンタに設定された値を排出するように、排出用パルスモータ６２０にパルス送信を行って、賞球排出を行わせる。
【００８６】
また、貸球制御指令があった場合には、貸球排出数を排出カウンタに設定するとともに、流路切換ソレノイド７３０のソレノイド７３３に貸球流路７０４開放方向の通電をし、流路切換弁７２０を貸球流路７０４開放側の弁位置とした後、排出用パルスモータ６２０に排出カウンタへの設定分のパルス送信を行って、貸球排出を行わせる。
【００８７】
このように排出された遊技球数は、賞球検出センサ７１３または貸球検出センサ７１４により検出され、中継基板７４０を介して、排出制御装置４００に入力される。これにより、検出分の貯留カウンタ値および排出カウンタ値はクリアされる。
【００８８】
また、排出制御装置４００は、所定数（例えば、貸球の払出単位である２５個）の貸球排出が検出される度に、枠用外部出力端子４１０を介して、管理装置に貸球払出信号を送信する。
【００８９】
また、排出制御装置４００は、後述する停電検出後は、所定時間Ｔにわたって、検出センサ（賞球検出センサ７１３または貸球検出センサ７１４）による遊技球検出（賞球検出または貸球検出）があれば排出カウンタを更新する。すなわち、停電検出された後でも、駆動電圧の低い賞球検出センサ７１３および貸球検出センサ７１４は検出可能な状態にあり、また流路切換弁７２０はソレノイド７３３への通電がＯＦＦとなった後も停電発生の時点で実行されていた側（賞球側または貸球側）に保持され続けることから、検出センサ（賞球検出センサ７１３または貸球検出センサ７１４）では正しく遊技球（賞球または貸球）の検出を行い得ると考えられるので、所定時間Ｔの間は、この遊技球検出に基づいて排出カウンタの減算処理を行う。この場合、所定時間Ｔは、停電検出により排出ユニット６００からの遊技球排出が停止された時点で、排出ユニット６００の球送出部６１０から排出されたが未だ検出センサに達していない遊技球が、賞球検出センサ７１３または貸球検出センサ７１４により検出され切るまでの見込み時間で、前記遊技制御装置１００における所定時間Ｔと同じ時間、例えば１秒程度に設定される。
【００９０】
なお、排出制御装置４００は、異常発生時に第２報知ランプ３２を点灯させ、異常報知を行えるようになっている。また、図示しないが、第１報知ランプ３１（図１参照）は、遊技制御装置１００からの指令を受けた装飾制御装置２００により制御される。
【００９１】
電源供給装置３００は、弾球遊技機の各種装置に電源供給する装置であって、整流回路３０１、平滑回路３０２、電圧変換回路３０３、３０４、３０５、停電検出回路３０６、バックアップコンデンサ３０７等から構成される。
【００９２】
整流回路３０１は、電源供給装置３００外部から供給されてきた２４Ｖの交流電圧を２４Ｖの直流電圧に変換する回路である。平滑回路３０２は、この２４Ｖの直流電圧を３２Ｖの直流電圧に変換する回路である。
【００９３】
電圧変換回路３０３、３０４、３０５は、平滑回路３０２からの３２Ｖ電圧を各種装置の駆動に適した電圧に変換する回路であり、電圧変換回路３０３からは各種センサ（賞球検出センサ７１３、貸球検出センサ７１４等）へ向けて１２Ｖ電圧が、また電圧変換回路３０４からは各種制御装置に向けて５Ｖ電圧が、また電圧変換回路３０５からは排出制御装置４００のドライブ回路４０５に向けて１８Ｖ電圧が、それぞれ供給される。
【００９４】
停電検出回路３０６は、停電発生時に平滑回路３０２の出力電圧が所定電圧以下へ低下することを監視することにより、停電発生を検出する回路である。この停電検出回路３０６からは、遊技制御装置１００のＣＰＵ１０１、排出制御装置４００のＣＰＵ４０１等に停電検出信号の送信がなされる。なお、停電時には、電圧の高い電源から順に、所定電圧の供給ができなくなっていくことになるから、停電検出回路３０６による停電検出後もしばらくの間は、供給電圧の低い１２Ｖ電圧、５Ｖ電圧等からは電源供給が続き、各種センサや各種制御装置は動作を続けることになる。
【００９５】
バックアップコンデンサ３０７は、停電発生時に、遊技制御装置１００のＲＡＭ１０３および排出制御装置４００のＲＡＭ４０３にバックアップ電源を供給するものである。
【００９６】
以上のように、流路切換弁７２０（流路切換ソレノイド７３０）はラッチングタイプで、かつ通電ＯＦＦ後に通電ＯＦＦ時点でのポジションが保持されるタイプのものとするとともに、検出センサ（賞球検出センサ７１３、貸球検出センサ７１４）、遊技制御装置１００、排出制御装置４００には停電検出後にも１２Ｖ電源、５Ｖ電源が供給され、所定時間Ｔの間は遊技球検出が継続されるようにしたので、停電発生時にも、排出ユニット６００から排出された遊技球を賞球と貸球と区別して正しく計数することができる。
【００９７】
また、流路切換弁７２０は、停電により通電ＯＦＦとなったときもそのままの弁位置で保持され、停電復帰後の排出開始に至るまで切り換えられることがないので、遊技球排出中に流路切換弁７２０が切り換わって遊技球を挟み込んでしまうようなことは生じる余地がない。したがって、停電復帰後に排出を開始するときに、流路切換弁７２０をいったん動作させて挟み込まれた遊技球を排出してから開始する等の制御が必要なく、制御が容易となる。
【００９８】
なお、本発明では、通常動作時において遊技球排出の制御を行っていないときには、流路切換弁７２０を賞球側に設定しておくことも貸球側に設定しておくこともできるが、本実施の形態では、特に賞球側に設定するようにしている。これにより、遊技球排出の制御をしておらず、本来排出されるべきでないときに排出された遊技球は、賞球と同様に賞球検出センサ７１３により検出され、この検出信号は遊技制御装置１００に入力される。したがって、本実施の形態によれば、排出機構の故障や不正行為等による不適正な排出を、遊技制御装置１００で監視することができる。
【００９９】
また、今回開示された実施の形態は総ての点で例示であって制限的なものではない。また、本発明の範囲は、特許請求の範囲によって示されるもので、特許請求の範囲内での総ての変更を含むものである。
【図面の簡単な説明】
【図１】本発明の実施の形態における遊技機を示す正面図である。
【図２】同じく遊技機を示す裏面図である。
【図３】同じく排出関連ユニットを示す断面図である。
【図４】同じく排出関連ユニットを示す断面図である。
【図５】同じく流路切換ユニットのケーシングの一部を外した斜視図である。
【図６】同じく流路切換ユニットの駆動部分の分解斜視図である。
【図７】同じく流路切換ソレノイドの先端部分の断面図である。
【図８】同じく制御系を示す構成図である。
【符号の説明】
１００  遊技制御装置
３００  電源回路
３０７  バックアップコンデンサ
４００  排出制御装置
６００  排出ユニット
６２０  排出用パルスモータ
６３０  ストッパ機構
７００  流路切換ユニット
７０１  ケーシング
７０３  賞球流路
７０４  貸球流路
７１３  賞球検出センサ
７１４  貸球検出センサ
７１５  流路切換装置
７２０  流路切換弁
７２２、７２３  連係部材
７２５  接続部材
７２６  保持スプリング
７３０  流路切換ソレノイド（アクチュエータ）
７３１  プランジャ
７３２  永久磁石
７３３  ソレノイド
７３４  第１吸着部材
７３５  第２吸着部材
７５０  筐体
７５５  プランジャ受部
７５６  取付具
【図１】
0004088410.tif 000002
【図２】
0004088410.tif 000003
【図３】
0004088410.tif 000004
【図４】
0004088410.tif 000005
【図５】
0004088410.tif 000006
【図６】
0004088410.tif 000007
【図７】
0004088410.tif 000008
【図８】
0004088410.tif 000009